(57)【要約】【課題】ワイヤーハーネス経路の出口部分からワイヤーハーネス経路内への雨水等といった液体の浸入を安価に阻止できる止水構造を備えた樹脂成形構造体を提供すること。【解決手段】樹脂成形構造体である電気接続箱１０は、ワイヤーハーネス２０がワイヤーハーネス経路５外に露出される出口部分２からの液体の浸入を阻止するために、出口部分２よりも内側に位置する上面６および一方の側面７の部分上でワイヤーハーネス経路５の延長方向と交差する方向に第１止水壁部１１および第２止水壁部１２が延設されている。【選択図】図２
2007068312.tif 000002
【特許請求の範囲】
【請求項１】
ワイヤーハーネスの少なくとも一部をその長手方向に案内するためのワイヤーハーネス経路を画成する内周面を有する中空筒状部を備えた樹脂成形構造体であって、
前記ワイヤーハーネスが前記ワイヤーハーネス経路外に露出される前記中空筒状部の出口部分からの液体の浸入を阻止するために、前記中空筒状部の出口部分よりも内側に位置する前記内周面の部分上で前記ワイヤーハーネス経路の延長方向と交差する方向に止水壁部が延設されていることを特徴とする樹脂成形構造体。
【請求項２】
前記止水壁部が、前記内周面のうちの少なくとも上面に形成され且つ該上面から下面に向かって立設されていることを特徴とする請求項１に記載した樹脂成形構造体。
【請求項３】
前記止水壁部が、前記内周面のうちの上面に形成され且つ該上面から下面に向かって立設された第１止水壁部と、前記内周面のうちの両側面の一方に形成され且つ該両側面の他方に向かって立設された第２止水壁部と、を含むことを特徴とする請求項１に記載した樹脂成形構造体。
【発明の詳細な説明】
【技術分野】
【０００１】
本発明は、例えば自動車等といった車両に用いられる例えばリレー・ボックス、ヒューズ・ボックス、等といった、ワイヤーハーネスの一部を収容する電気接続箱（即ち、エレクトリック・ジャンクション・ブロック）、ワイヤーハーネスを保護するために収容するプロテクタ、等といった合成樹脂で成形された樹脂成形構造体に係り、特に、樹脂成形構造体内に形成されるワイヤーハーネス経路に止水構造を備えた樹脂成形構造体に関する。
【背景技術】
【０００２】
例えば自動車の電装系の配線等に使用されるワイヤーハーネスは、その電線群が外力等によって損傷するのを防止するため、合成樹脂で成形された樹脂成形構造体、例えば、プロテクタによって保護されるのが一般的である。
【０００３】
このようにワイヤーハーネスを保護するため収容するプロテクタの部分の中でも、特にプロテクタ内からワイヤーハーネスがプロテクタ外に露出される出口部分は、雨水等の液体が浸入する機会があるため、プロテクタには止水機構あるいは別部材として止水部材が設けられたものがある。
【０００４】
止水部材が設けられたプロテクタの一例として、Ｔ字形に分岐するワイヤーハーネスを収容するためのワイヤーハーネス経路を画成するために、主収容溝および該主収容溝に連通する分岐収容溝を有するプロテクタ本体と、該主収容溝および分岐収容溝を閉塞する蓋と、主収容溝内に収容するワイヤーハーネスの幹線部と分岐収容溝内に収容するワイヤーハーネスの分岐線部との境界部分をシールするための防水シートと、を備えたものが知られている（特許文献１参照）。
【０００５】
この特許文献１の発明は、例えば、水平方向に開口するプロテクタの出口部分から外に出ているワイヤーハーネスからの雨水等といった液体の跳ね返りに対しても良好な止水機能をプロテクタに与えることができるが、比較的コストがかかる。
【０００６】
【特許文献１】特開２００５−１５１７６３号公報
【発明の開示】
【発明が解決しようとする課題】
【０００７】
本発明は、上述した事情に鑑みてなされたものであり、その目的は、ワイヤーハーネス経路の出口部分からワイヤーハーネス経路内への雨水等といった液体の浸入を安価に阻止できる止水構造を備えた樹脂成形構造体を提供することにある。
【課題を解決するための手段】
【０００８】
前述した目的を達成するため、本発明に係る樹脂成形構造体は、下記（１）〜（３）を特徴とする。
（１）  ワイヤーハーネスの少なくとも一部をその長手方向に案内するためのワイヤーハーネス経路を画成する内周面を有する中空筒状部を備えた樹脂成形構造体であって、
前記ワイヤーハーネスが前記ワイヤーハーネス経路外に露出される前記中空筒状部の出口部分からの液体の浸入を阻止するために、前記中空筒状部の出口部分よりも内側に位置する前記内周面の部分上で前記ワイヤーハーネス経路の延長方向と交差する方向に止水壁部が延設されていること。
（２）  上記（１）の構成の樹脂成形構造体において、
前記止水壁部が、前記内周面のうちの少なくとも上面に形成され且つ該上面から下面に向かって立設されていること。
（３）  上記（１）の構成の樹脂成形構造体において、
前記止水壁部が、前記内周面のうちの上面に形成され且つ該上面から下面に向かって立設された第１止水壁部と、前記内周面のうちの両側面の一方に形成され且つ該両側面の他方に向かって立設された第２止水壁部と、を含むこと。
【０００９】
上記（１）の構成の樹脂成形構造体によれば、中空筒状部の出口部分よりも内側に位置する内周面の部分上でワイヤーハーネス経路の延長方向と交差する方向に止水壁部が延設されているので、中空筒状部の出口部分からの液体の浸入を安価に阻止することができる。尚、止水壁部が中空筒状部と一体成形されていることがコスト的にも好ましい。
上記（２）の構成の樹脂成形構造体によれば、止水壁部が中空筒状部の内周面のうちの少なくとも上面に形成され且つ該上面から下面に向かって立設されているので、たとえ中空筒状部の出口部分が樹脂成形構造体の水平方向（換言すれば、横方向）に開口するように配置されたとしても、例えば、出口部分から外に出ているワイヤーハーネス等からの液体の跳ね返りに対して止水を行なうことができる。
上記（３）の構成の樹脂成形構造体によれば、止水壁部が、中空筒状部の内周面のうちの上面に形成され且つ該上面から下面に向かって立設された第１止水壁部と、中空筒状部の内周面のうちの両側面の一方に形成され且つ該両側面の他方に向かって立設された第２止水壁部と、を含むので、たとえ中空筒状部の出口部分が樹脂成形構造体の水平方向（換言すれば、横方向）に開口するように配置されたとしても、例えば、出口部分から外に出ているワイヤーハーネス等からの液体の跳ね返りに対して、より良好な止水を行なうことができる。
【発明の効果】
【００１０】
本発明によれば、ワイヤーハーネス経路の出口部分からワイヤーハーネス経路内への雨水等といった液体の浸入を安価に阻止できる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図１〜図３を参照しながら詳細に説明する。
【００１３】
図１はワイヤーハーネス経路に止水構造を備えた本発明の樹脂成形構造体の一実施形態の要部外観斜視図、図２は本発明に係る樹脂成形構造体の一実施形態の要部であるワイヤーハーネス経路上の止水構造を示す樹脂成形構造体の要部破断斜視図、そして図３は図２を示すために樹脂成形構造体から分離された部分の斜視図である。
【００１４】
図１〜図３に示されるように、本発明の一実施形態である電気接続箱１０は、例えば自動車等といった車両に用いられる例えばリレー・ボックス、ヒューズ・ボックス、等であり、各構成要素が合成樹脂で成形された樹脂成形構造体である。尚、この電気接続箱１０の接続箱本体１には、その一側部４を除いて上面の大半部分を覆う上カバー（不図示）と、下面を覆う下カバー（不図示）とが取付けられる。
【００１５】
電気接続箱１０では、例えばリレー、ヒューズ、等といった電気部品（不図示）が収容された接続箱本体１上に、当該複数の電気部品（不図示）に電気的に接続された複数の電線の束であるワイヤーハーネス２０が配索され、そのワイヤーハーネス２０が、接続箱本体１と該接続箱本体１に取付けられたサイド・プロテクタ・カバー３との間に形成されたワイヤーハーネス経路５から引き出されている。
【００１６】
より詳細には、接続箱本体１の一側部４と該一側部４を覆うように取付けられるサイド・プロテクタ・カバー３とが、ワイヤーハーネス２０の一部をその長手方向に案内するためのワイヤーハーネス経路５を画成する内周面（即ち、上面６，一方の側面７，下面８，他方の側面９）を有する中空筒状部を形成している。そしてワイヤーハーネス２０がワイヤーハーネス経路５外に露出される中空筒状部の出口部分２からの液体の浸入を阻止するために、出口部分２よりも内側に位置する上面６および一方の側面７の部分上でワイヤーハーネス経路５の延長方向と交差する方向に止水壁部が延設されている。
【００１７】
前述した止水壁部は、上面６上に形成され且つ該上面６から下面８に向かって立設されるようにサイド・プロテクタ・カバー３と一体成形された第１止水壁部１１と、一方の側面７上に形成され且つ他方の側面９に向かって立設されるように接続箱本体１と一体成形された複数の第２止水壁部１２と、を含む。尚、前述した止水壁部は、第１止水壁部１１だけで構成しても効果的である。
【００１８】
この電気接続箱１０によれば、出口部分２よりも内側に位置する上面６および一方の側面７それぞれの部分上でワイヤーハーネス経路５の延長方向と交差する方向に止水壁部１１，１２が延設されているので、出口部分２からの液体の浸入を安価に阻止することができる。
【００１９】
また、この電気接続箱１０では、第１止水壁部１１がサイド・プロテクタ・カバー３の内面（上面６）に少なくとも形成されていれば、例えば、電気接続箱１０の水平方向（換言すれば、横方向）に開口するように配置されている出口部分２から外に出ているワイヤーハーネス２０からの液体の跳ね返りに対して止水を行なうことができるので、好ましい。
【００２０】
この電気接続箱１０では、止水壁部が、上面６に形成された第１止水壁部１１と、一方の側面７に形成された第２止水壁部１２と、を含むので、より良好な止水を行なうことができる。
【００２１】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００２２】
本発明は、ワイヤーハーネス経路の出口部分からワイヤーハーネス経路内への雨水等といった液体の浸入を安価に阻止できるので、上述した電気接続箱に限らず、プロテクタ等、様々な樹脂成形構造体にも有用である。
【図面の簡単な説明】
【００２３】
【図１】ワイヤーハーネス経路に止水構造を備えた本発明の樹脂成形構造体の一実施形態の要部外観斜視図である。
【図２】本発明に係る樹脂成形構造体の一実施形態の要部であるワイヤーハーネス経路上の止水構造を示す樹脂成形構造体の要部破断斜視図である。
【図３】図２を示すために樹脂成形構造体から分離された部分の斜視図である。
【符号の説明】
【００２４】
１：接続箱本体
２：出口部分
３：サイド・プロテクタ・カバー（中空筒状部の半部）
４：一側部（中空筒状部の半部）
５：ワイヤーハーネス経路
６：上面（内周面の一部）
７：一方の側面（内周面の一部）
８：下面（内周面の一部）
９：他方の側面（内周面の一部）
１０：電気接続箱（樹脂成形構造体）
１１：第１止水壁部
１２：第２止水壁部
２０：ワイヤーハーネス
【図１】
2007068312.tif 000003
【図２】
2007068312.tif 000004
【図３】
2007068312.tif 000005